(57)【要約】本発明の移動通信方法は、第１無線基地局Ｓ-ｅＮＢが、第１無線基地局ＳｅＮＢ配下の第１セルを介して通信を行っている移動局ＵＥに対して第２無線基地局ＴｅＮＢ配下の第２セルに対するハンドオーバを行うように指示するハンドオーバ指示を送信する工程と、移動局ＵＥが、ハンドオーバ指示に応じて、第１セルから第２セルに対するハンドオーバを行う工程と、移動局ＵＥが、ハンドオーバ指示から、少なくとも１つの移動通信システムにおいて第２セルを一意に識別可能なグローバルセルＩＤを取得する工程と、移動局ＵＥが、位置情報管理サーバに対して、取得した第２セルを一意に識別可能なグローバルセルＩＤを通知する工程とを有する。
2009099215.tif 000002
【特許請求の範囲】
【請求項１】
位置情報管理サーバが、移動局の位置情報を取得する位置情報取得方法であって、
第１無線基地局が、該第１無線基地局配下の第１セルを介して通信を行っている前記移動局に対して、第２無線基地局配下の第２セルに対するハンドオーバを行うように指示するハンドオーバ指示を送信する工程と、
前記移動局が、前記ハンドオーバ指示に応じて、前記第１セルから前記第２セルに対するハンドオーバを行う工程と、
前記移動局が、前記ハンドオーバ指示から、少なくとも１つの移動通信システムにおいて前記第２セルを一意に識別可能なグローバルセルＩＤを取得する工程と、
前記移動局が、前記位置情報管理サーバに対して、取得した前記第２セルを一意に識別可能なグローバルセルＩＤを通知する工程とを有することを特徴とする位置情報取得方法。
【請求項２】
位置情報管理サーバが、移動局の位置情報を取得する位置情報取得方法であって、
第１無線基地局が、該第１無線基地局配下の第１セルを介して通信を行っている前記移動局に対して、第２無線基地局配下の第２セルに対するハンドオーバを行うように指示するハンドオーバ指示を送信する工程と、
前記移動局が、前記ハンドオーバ指示に応じて、前記第１セルから前記第２セルに対するハンドオーバを行う工程と、
前記移動局が、前記第１セルから前記第２セルに対するハンドオーバが完了した旨を通知するハンドオーバ完了報告を、前記第２無線基地局に送信する工程と、
前記第２無線基地局が、前記ハンドオーバ完了報告を受信した後に、前記移動局に対して、少なくとも１つの移動通信システムにおいて前記第２セルを一意に識別可能なグローバルセルＩＤを通知する工程と、
前記移動局が、通知された前記第２セルを一意に識別可能なグローバルセルＩＤを、前記位置情報管理サーバに対して通知する工程とを有することを特徴とする位置情報取得方法。
【請求項３】
位置情報管理サーバが、移動局の位置情報を取得する位置情報取得方法であって、
第１無線基地局配下の第１セルを介して通信を行っている前記移動局が、該第１セルにおけるパイロット信号の受信品質及び第２無線基地局配下の第２セルにおけるパイロット信号の受信品質を測定する工程と、
前記移動局が、前記第１セルにおけるパイロット信号の受信品質よりも前記第２無線基地局配下の第２セルにおけるパイロット信号の受信品質が高い場合に、前記第２セルにおける報知情報を受信する工程と、
前記移動局が、前記報知情報から、少なくとも１つの移動通信システムにおいて前記第２セルを一意に識別可能なグローバルセルＩＤを取得する工程と、
前記移動局が、前記第１無線基地局に対して、前記第１セル及び前記第２セルにおけるパイロット信号の受信品質の測定結果を報告する工程と、
前記第１無線基地局が、前記移動局に対して、前記第２セルに対するハンドオーバを行うように指示するハンドオーバ指示を送信する工程と、
前記移動局が、前記ハンドオーバ指示に応じて、前記第１セルから前記第２セルに対するハンドオーバを行う工程と、
前記移動局が、前記第２セルを一意に識別可能なグローバルセルＩＤを、前記位置情報管理サーバに対して通知する工程とを有することを特徴とする位置情報取得方法。
【請求項４】
位置情報管理サーバが、移動局の位置情報を取得する位置情報取得方法であって、
第１無線基地局が、該第１無線基地局配下の第１セルを介して通信を行っている前記移動局に対して、第２無線基地局配下の第２セルに対するハンドオーバを行うように指示するハンドオーバ指示を送信する工程と、
前記移動局が、前記ハンドオーバ指示に応じて、前記第１セルから前記第２セルに対するハンドオーバを行う工程と、
前記移動局が、前記第１セルから前記第２セルに対するハンドオーバが完了した旨を通知するハンドオーバ完了報告を、前記第２無線基地局に送信する工程と、
前記移動局が、前記ハンドオーバ完了報告を送信した後、前記第２セルにおける報知情報を受信する工程と、
前記移動局が、前記報知情報から、少なくとも１つの移動通信システムにおいて前記第２セルを一意に識別可能なグローバルセルＩＤを取得する工程と、
前記移動局が、取得した前記第２セルを一意に識別可能なグローバルセルＩＤを、前記位置情報管理サーバに対して通知する工程とを有することを特徴とする位置情報取得方法。
【請求項５】
位置情報管理サーバが、移動局の位置情報を取得する位置情報取得方法であって、
前記位置情報管理サーバが、前記移動局の測位を開始する際に、該移動局に対して、該移動局の位置情報を通知するように指示する工程と、
前記移動局が、前記位置情報管理サーバからの指示に応じて、前記無線基地局から、少なくとも１つの移動通信システムにおいて前記セルを一意に識別可能なグローバルセルＩＤを取得する工程と、
前記移動局が、前記位置情報管理サーバに対して、取得した前記セルを一意に識別可能なグローバルセルＩＤを通知する工程とを有することを特徴とする位置情報取得方法。
【請求項６】
位置情報管理サーバに対して位置情報を通知するように構成されている移動局であって、
第１無線基地局配下の第１セルを介して通信を行っている場合で、かつ、第１無線基地局から、第２無線基地局配下の第２セルに対するハンドオーバを行うように指示するハンドオーバ指示を受信した場合に、該ハンドオーバ指示に応じて、該第１セルから該第２セルに対するハンドオーバを行うように構成されているハンドオーバ処理部と、
前記ハンドオーバ指示から、少なくとも１つの移動通信システムにおいて前記第２セルを一意に識別可能なグローバルセルＩＤを取得するように構成されているグローバルセルＩＤ取得部と、
前記位置情報管理サーバに対して、取得した前記第２セルを一意に識別可能なグローバルセルＩＤを通知するように構成されているグローバルセルＩＤ通知部とを具備することを特徴とする移動局。
【請求項７】
位置情報管理サーバに対して位置情報を通知するように構成されている移動局であって、
第１無線基地局配下の第１セルを介して通信を行っている場合で、かつ、第１無線基地局から、第２無線基地局配下の第２セルに対するハンドオーバを行うように指示するハンドオーバ指示を受信した場合に、該ハンドオーバ指示に応じて、該第１セルから該第２セルに対するハンドオーバを行い、該第１セルから該第２セルに対するハンドオーバが完了した旨を通知するハンドオーバ完了報告を、該第２無線基地局に送信するように構成されているハンドオーバ処理部と、
前記ハンドオーバ完了報告を受信した前記第２無線基地局によって通知された少なくとも１つの移動通信システムにおいて前記第２セルを一意に識別可能なグローバルセルＩＤを取得するように構成されているグローバルセルＩＤ取得部と、
取得した前記第２セルを一意に識別可能なグローバルセルＩＤを、前記位置情報管理サーバに対して通知するように構成されているグローバルセルＩＤ通知部とを具備することを特徴とする移動局。
【請求項８】
位置情報管理サーバに対して位置情報を通知するように構成されている移動局であって、
第１無線基地局配下の第１セルを介して通信を行っている場合に、該第１セルにおけるパイロット信号の受信品質及び第２無線基地局配下の第２セルにおけるパイロット信号の受信品質を測定し、該第１無線基地局に対して、該第１セル及び該第２セルにおけるパイロット信号の受信品質の測定結果を報告し、該第１無線基地局から、該第２セルに対するハンドオーバを行うように指示するハンドオーバ指示を受信した場合に、該ハンドオーバ指示に応じて、該第１セルから該第２セルに対するハンドオーバを行うように構成されているハンドオーバ処理部と、
前記第１セルにおけるパイロット信号の受信品質よりも前記第２無線基地局配下の第２セルにおけるパイロット信号の受信品質が高い場合に、前記第２セルにおける報知情報を受信し、該報知情報から、少なくとも１つの移動通信システムにおいて前記第２セルを一意に識別可能なグローバルセルＩＤを取得するように構成されているグローバルセルＩＤ取得部と、
前記第２セルを一意に識別可能なグローバルセルＩＤを、前記位置情報管理サーバに対して通知するように構成されているグローバルセルＩＤ通知部とを具備することを特徴とする移動局。
【請求項９】
位置情報管理サーバに対して位置情報を通知するように構成されている移動局であって、
第１無線基地局配下の第１セルを介して通信を行っている場合に、該第１無線基地局から、該第２セルに対するハンドオーバを行うように指示するハンドオーバ指示を受信した場合に、該ハンドオーバ指示に応じて、該第１セルから該第２セルに対するハンドオーバを行い、該第１セルから該第２セルに対するハンドオーバが完了した旨を通知するハンドオーバ完了報告を該第２無線基地局に送信するように構成されているハンドオーバ処理部と、
前記ハンドオーバ完了報告を送信した後、前記第２セルにおける報知情報を受信し、該報知情報から、少なくとも１つの移動通信システムにおいて前記第２セルを一意に識別可能なグローバルセルＩＤを取得するように構成されているグローバルセルＩＤ取得部と、
取得した前記第２セルを一意に識別可能なグローバルセルＩＤを、前記位置情報管理サーバに対して通知するように構成されているグローバルセルＩＤ通知部とを具備することを特徴とする移動局。
【請求項１０】
位置情報管理サーバに対して位置情報を通知するように構成されている移動局であって、
前記位置情報管理サーバが、前記移動局の測位を開始する際に、該移動局に対して、該移動局の位置情報を通知するように指示した場合に、該位置情報管理サーバからの指示に応じて、該無線基地局から、少なくとも１つの移動通信システムにおいて該セルを一意に識別可能なグローバルセルＩＤを取得するように構成されているグローバルセルＩＤ取得部と、
前記位置情報管理サーバに対して、取得した前記セルを一意に識別可能なグローバルセルＩＤを通知するように構成されているグローバルセルＩＤ通知部とを具備することを特徴とする移動局。
【発明の詳細な説明】
【技術分野】
【０００１】
本発明は、位置情報管理サーバが特定の通信を行っている移動局の位置情報を取得する位置情報取得方法及び移動局に関する。
【背景技術】
【０００２】
３ＧＰＰにおけるワーキンググループ「ＳＡ２」では、移動局ＵＥの位置情報管理サービスの一種である「Ｌｏｃａｔｉｏｎ  Ｂａｓｅｄ  Ｓｅｒｖｉｃｅ」のための測位方法が議論されている。【０００３】
かかる測位方法として、図１０及び図１１に示すように、例えば、移動局ＵＥとＧＭＬＣ（Ｇａｔｅｗａｙ  Ｍｏｂｉｌｅ  Ｌｏｃａｔｉｏｎ  Ｃｅｎｔｅｒ）サーバとの間で確立されたＣプレーンを介して行われる「Ｃ-ｐｌａｎｅ  ｂａｓｅｄ測位」、及び、移動局ＵＥとＳＵＰＬ（Ｓｅｃｕｒｅ  Ｕｓｅｒ  Ｐｌａｎｅ  Ｌｏｃａｔｉｏｎ）サーバとの間で確立されたＵプレーンを介して行われる「Ｕ-ｐｌａｎｅ  ｂａｓｅｄ測位」等が検討されている。【０００４】
また、上述のようなＳＵＰＬサーバが用いられる「Ｕ-ｐｌａｎｅ  ｂａｓｅｄ測位」の具体的な仕様は、ＯＭＡ（Ｏｐｅｎ  Ｍｏｂｉｌｅ  Ａｌｌｉａｎｃｅ）によって策定されている。【０００５】
かかる「Ｕ-ｐｌａｎｅ  ｂａｓｅｄ測位」では、ＧＰＳ（Ｇｌｏｂａｌ  Ｐｏｓｉｔｉｏｎｉｎｇ  Ｓｙｓｔｅｍ）測位機能を具備している移動局ＵＥは、ＳＵＰＬサーバとの間で確立されたＵプレーンを介してＧＰＳ測位結果を当該ＳＵＰＬサーバに報告し、当該ＳＵＰＬサーバが、当該移動局ＵＥの位置情報を算出するように構成されている。【０００６】
ここで、「Ｌｏｃａｔｉｏｎ  Ｂａｓｅｄ  Ｓｅｒｖｉｃｅ」の例として、緊急呼（Ｅｍｅｒｇｅｎｃｙ  Ｃａｌｌ）サービスや、警察等による通信傍受（Ｌａｗｆｕｌ  Ｉｎｔｅｒｃｅｐｔｉｏｎ）サービス等が想定される。【０００７】
なお、かかるサービスでは、移動局ＵＥは、移動局ＵＥの位置情報自身を報告できない場合には、最低限、移動局ＵＥが接続されている無線基地局ｅＮＢのグローバルセルＩＤ（Ｇｒｏｂａｌ  Ｃｅｌｌ  ＩＤ）を報告することが必要となる。【０００８】
しかしながら、ＳＵＰＬサーバが用いられる「Ｕ-ｐｌａｎｅ  ｂａｓｅｄ測位」では、当該ＳＵＰＬサーバが、移動局ＵＥが現在接続されている無線基地局ｅＮＢ配下のセルのグローバルセルＩＤを取得することができないという問題点があった。【０００９】
すなわち、ＳＵＰＬサーバが用いられる「Ｕ-ｐｌａｎｅ  ｂａｓｅｄ測位」では、移動局ＵＥは、「待ち受け」や「Ｉｄｌｅ  ｔｏ  Ａｃｔｉｖｅ」を行ったセルＩＤ（スクランブリングコード）しか分からないため、ＳＵＰＬ測位が開始された時に、移動局ＵＥは、「待ち受け」や「Ｉｄｌｅ  ｔｏ  Ａｃｔｉｖｅ」を行ったセルから移動すると、現在接続されている無線基地局ｅＮＢ配下のセルのグローバルセルＩＤを、当該ＳＵＰＬサーバに対して報告することができないという問題点があった。
【発明の開示】
【００１０】
そこで、本発明は、上述の課題に鑑みてなされたものであり、移動局ＵＥの位置情報として、当該移動局ＵＥが現在接続されている無線基地局ｅＮＢ配下のセルのグローバルセルＩＤを取得することができる位置情報取得方法及び移動局を提供することを目的とする。
【００１１】
本発明の第１の特徴は、位置情報管理サーバが、移動局の位置情報を取得する位置情報取得方法であって、第１無線基地局が、該第１無線基地局配下の第１セルを介して通信を行っている前記移動局に対して、第２無線基地局配下の第２セルに対するハンドオーバを行うように指示するハンドオーバ指示を送信する工程と、前記移動局が、前記ハンドオーバ指示に応じて、前記第１セルから前記第２セルに対するハンドオーバを行う工程と、前記移動局が、前記ハンドオーバ指示から、少なくとも１つの移動通信システムにおいて前記第２セルを一意に識別可能なグローバルセルＩＤを取得する工程と、前記移動局が、前記位置情報管理サーバに対して、取得した前記第２セルを一意に識別可能なグローバルセルＩＤを通知する工程とを有することを要旨とする。
【００１２】
本発明の第２の特徴は、位置情報管理サーバが、移動局の位置情報を取得する位置情報取得方法であって、第１無線基地局が、該第１無線基地局配下の第１セルを介して通信を行っている前記移動局に対して、第２無線基地局配下の第２セルに対するハンドオーバを行うように指示するハンドオーバ指示を送信する工程と、前記移動局が、前記ハンドオーバ指示に応じて、前記第１セルから前記第２セルに対するハンドオーバを行う工程と、前記移動局が、前記第１セルから前記第２セルに対するハンドオーバが完了した旨を通知するハンドオーバ完了報告を、前記第２無線基地局に送信する工程と、前記第２無線基地局が、前記ハンドオーバ完了報告を受信した後に、前記移動局に対して、少なくとも１つの移動通信システムにおいて前記第２セルを一意に識別可能なグローバルセルＩＤを通知する工程と、前記移動局が、通知された前記第２セルを一意に識別可能なグローバルセルＩＤを、前記位置情報管理サーバに対して通知する工程とを有することを要旨とする。
【００１３】
本発明の第３の特徴は、位置情報管理サーバが、移動局の位置情報を取得する位置情報取得方法であって、第１無線基地局配下の第１セルを介して通信を行っている前記移動局が、該第１セルにおけるパイロット信号の受信品質及び第２無線基地局配下の第２セルにおけるパイロット信号の受信品質を測定する工程と、前記移動局が、前記第１セルにおけるパイロット信号の受信品質よりも前記第２無線基地局配下の第２セルにおけるパイロット信号の受信品質が高い場合に、前記第２セルにおける報知情報を受信する工程と、前記移動局が、前記報知情報から、少なくとも１つの移動通信システムにおいて前記第２セルを一意に識別可能なグローバルセルＩＤを取得する工程と、前記移動局が、前記第１無線基地局に対して、前記第１セル及び前記第２セルにおけるパイロット信号の受信品質の測定結果を報告する工程と、前記第１無線基地局が、前記移動局に対して、前記第２セルに対するハンドオーバを行うように指示するハンドオーバ指示を送信する工程と、前記移動局が、前記ハンドオーバ指示に応じて、前記第１セルから前記第２セルに対するハンドオーバを行う工程と、前記移動局が、前記第２セルを一意に識別可能なグローバルセルＩＤを、前記位置情報管理サーバに対して通知する工程とを有することを要旨とする。
【００１４】
本発明の第４の特徴は、位置情報管理サーバが、移動局の位置情報を取得する位置情報取得方法であって、第１無線基地局が、該第１無線基地局配下の第１セルを介して通信を行っている前記移動局に対して、第２無線基地局配下の第２セルに対するハンドオーバを行うように指示するハンドオーバ指示を送信する工程と、前記移動局が、前記ハンドオーバ指示に応じて、前記第１セルから前記第２セルに対するハンドオーバを行う工程と、前記移動局が、前記第１セルから前記第２セルに対するハンドオーバが完了した旨を通知するハンドオーバ完了報告を、前記第２無線基地局に送信する工程と、前記移動局が、前記ハンドオーバ完了報告を送信した後、前記第２セルにおける報知情報を受信する工程と、前記移動局が、前記報知情報から、少なくとも１つの移動通信システムにおいて前記第２セルを一意に識別可能なグローバルセルＩＤを取得する工程と、前記移動局が、取得した前記第２セルを一意に識別可能なグローバルセルＩＤを、前記位置情報管理サーバに対して通知する工程とを有することを要旨とする。
【００１５】
本発明の第５の特徴は、位置情報管理サーバが、移動局の位置情報を取得する位置情報取得方法であって、前記位置情報管理サーバが、前記移動局の測位を開始する際に、該移動局に対して、該移動局の位置情報を通知するように指示する工程と、前記移動局が、前記位置情報管理サーバからの指示に応じて、前記無線基地局から、少なくとも１つの移動通信システムにおいて前記セルを一意に識別可能なグローバルセルＩＤを取得する工程と、前記移動局が、前記位置情報管理サーバに対して、取得した前記セルを一意に識別可能なグローバルセルＩＤを通知する工程とを有することを要旨とする。
【００１６】
本発明の第６の特徴は、位置情報管理サーバに対して位置情報を通知するように構成されている移動局であって、第１無線基地局配下の第１セルを介して通信を行っている場合で、かつ、第１無線基地局から、第２無線基地局配下の第２セルに対するハンドオーバを行うように指示するハンドオーバ指示を受信した場合に、該ハンドオーバ指示に応じて、該第１セルから該第２セルに対するハンドオーバを行うように構成されているハンドオーバ処理部と、前記ハンドオーバ指示から、少なくとも１つの移動通信システムにおいて前記第２セルを一意に識別可能なグローバルセルＩＤを取得するように構成されているグローバルセルＩＤ取得部と、前記位置情報管理サーバに対して、取得した前記第２セルを一意に識別可能なグローバルセルＩＤを通知するように構成されているグローバルセルＩＤ通知部とを具備することを要旨とする。
【００１７】
本発明の第７の特徴は、位置情報管理サーバに対して位置情報を通知するように構成されている移動局であって、第１無線基地局配下の第１セルを介して通信を行っている場合で、かつ、第１無線基地局から、第２無線基地局配下の第２セルに対するハンドオーバを行うように指示するハンドオーバ指示を受信した場合に、該ハンドオーバ指示に応じて、該第１セルから該第２セルに対するハンドオーバを行い、該第１セルから該第２セルに対するハンドオーバが完了した旨を通知するハンドオーバ完了報告を、該第２無線基地局に送信するように構成されているハンドオーバ処理部と、前記ハンドオーバ完了報告を受信した前記第２無線基地局によって通知された少なくとも１つの移動通信システムにおいて前記第２セルを一意に識別可能なグローバルセルＩＤを取得するように構成されているグローバルセルＩＤ取得部と、取得した前記第２セルを一意に識別可能なグローバルセルＩＤを、前記位置情報管理サーバに対して通知するように構成されているグローバルセルＩＤ通知部とを具備することを要旨とする。
【００１８】
本発明の第８の特徴は、位置情報管理サーバに対して位置情報を通知するように構成されている移動局であって、第１無線基地局配下の第１セルを介して通信を行っている場合に、該第１セルにおけるパイロット信号の受信品質及び第２無線基地局配下の第２セルにおけるパイロット信号の受信品質を測定し、該第１無線基地局に対して、該第１セル及び該第２セルにおけるパイロット信号の受信品質の測定結果を報告し、該第１無線基地局から、該第２セルに対するハンドオーバを行うように指示するハンドオーバ指示を受信した場合に、該ハンドオーバ指示に応じて、該第１セルから該第２セルに対するハンドオーバを行うように構成されているハンドオーバ処理部と、前記第１セルにおけるパイロット信号の受信品質よりも前記第２無線基地局配下の第２セルにおけるパイロット信号の受信品質が高い場合に、前記第２セルにおける報知情報を受信し、該報知情報から、少なくとも１つの移動通信システムにおいて前記第２セルを一意に識別可能なグローバルセルＩＤを取得するように構成されているグローバルセルＩＤ取得部と、前記第２セルを一意に識別可能なグローバルセルＩＤを、前記位置情報管理サーバに対して通知するように構成されているグローバルセルＩＤ通知部とを具備することを要旨とする。
【００１９】
本発明の第９の特徴は、位置情報管理サーバに対して位置情報を通知するように構成されている移動局であって、第１無線基地局配下の第１セルを介して通信を行っている場合に、該第１無線基地局から、該第２セルに対するハンドオーバを行うように指示するハンドオーバ指示を受信した場合に、該ハンドオーバ指示に応じて、該第１セルから該第２セルに対するハンドオーバを行い、該第１セルから該第２セルに対するハンドオーバが完了した旨を通知するハンドオーバ完了報告を該第２無線基地局に送信するように構成されているハンドオーバ処理部と、前記ハンドオーバ完了報告を送信した後、前記第２セルにおける報知情報を受信し、該報知情報から、少なくとも１つの移動通信システムにおいて前記第２セルを一意に識別可能なグローバルセルＩＤを取得するように構成されているグローバルセルＩＤ取得部と、取得した前記第２セルを一意に識別可能なグローバルセルＩＤを、前記位置情報管理サーバに対して通知するように構成されているグローバルセルＩＤ通知部とを具備することを要旨とする。
【００２０】
本発明の第１０の特徴は、位置情報管理サーバに対して位置情報を通知するように構成されている移動局であって、前記位置情報管理サーバが、前記移動局の測位を開始する際に、該移動局に対して、該移動局の位置情報を通知するように指示した場合に、該位置情報管理サーバからの指示に応じて、該無線基地局から、少なくとも１つの移動通信システムにおいて該セルを一意に識別可能なグローバルセルＩＤを取得するように構成されているグローバルセルＩＤ取得部と、前記位置情報管理サーバに対して、取得した前記セルを一意に識別可能なグローバルセルＩＤを通知するように構成されているグローバルセルＩＤ通知部とを具備することを要旨とする。
【図面の簡単な説明】
【００２１】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムにおけるＸ２ハンドオーバ手順を示すシーケンス図である。
【図５】本発明の第２の実施形態に係る移動通信システムの全体構成図である。
【図６】本発明の第２の実施形態に係る移動通信システムにおけるＳ１ハンドオーバ手順を示すシーケンス図である。
【図７】本発明の変更例１に係る移動局の機能ブロック図である。
【図８】本発明の変更例１に係る移動通信システムの動作を示すシーケンス図である。
【図９】本発明の変更例１に係る移動通信システムの動作を示すシーケンス図である。
【図１０】従来の移動通信システムの問題点を説明するための図である。
【図１１】従来の移動通信システムの問題点を説明するための図である。
【発明を実施するための最良の形態】
【００２２】
（本発明の第１の実施形態に係る移動通信システム）
図１乃至図４を参照して、本発明の第１の実施形態に係る移動通信システムについて説明する。【００２３】
本実施形態では、ＬＴＥ（Ｌｏｎｇ  Ｔｅｒｍ  Ｅｖｏｌｕｔｉｏｎ）方式の移動通信システムを例に挙げて説明するが、本発明は、かかる移動通信システム以外にも適用可能である。【００２４】
図１に示すように、本実施形態では、ハンドオーバ元無線基地局（第１無線基地局）Ｓ-ｅＮＢ配下の第１セル（ハンドオーバ元セル）を介して「Ｌｏｃａｔｉｏｎ  Ｂａｓｅｄ  Ｓｅｒｖｉｃｅ」用の通信を行っている移動局ＵＥが、ハンドオーバ元無線基地局Ｓ-ｅＮＢ配下の第１セルからハンドオーバ先無線基地局（第２無線基地局）Ｔ-ｅＮＢ配下の第２セル（ハンドオーバ先セル）に対してハンドオーバ（Ｘ２ハンドオーバ、Ｉｎｔｅｒ-ｅＮＢハンドオーバ）を行う場合の例について説明する。【００２５】
図２に示すように、本実施形態に係る移動局ＵＥは、ハンドオーバ処理部１０と、グローバルセルＩＤ取得部１１と、グローバルセルＩＤ通知部１２とを具備している。【００２６】
ハンドオーバ処理部１０は、第１セルにおけるパイロット信号の受信品質及び第１セルの周辺セル（例えば、第２セル）におけるパイロット信号の受信品質を測定するように構成されている。【００２７】
ハンドオーバ処理部１０は、ハンドオーバ元無線基地局Ｓ-ｅＮＢに対して、第１セル及び第１セルの周辺セル（例えば、第２セル）におけるパイロット信号の受信品質の測定結果を報告するように構成されている（図４の「２.  Ｍｅａｓｕｒｅｍｅｎｔ  Ｒｅｐｏｒｔｓ」）。【００２８】
ハンドオーバ処理部１０は、ハンドオーバ元無線基地局Ｓ-ｅＮＢから、第２セルに対するハンドオーバを行うように指示するハンドオーバ指示を受信した場合に、かかるハンドオーバ指示に応じて、第１セルから第２セルに対するハンドオーバ（例えば、Ｘ２ハンドオーバ）を行うように構成されている（図４の「７.  Ｈａｎｄｏｖｅｒ  Ｃｏｍｍａｎｄ」）。【００２９】
ハンドオーバ処理部１０は、第１セルから第２セルに対するハンドオーバが完了した旨を通知するハンドオーバ完了報告を、ハンドオーバ先無線基地局Ｔ-ｅＮＢに送信するように構成されている（図４の「１１.  Ｈａｎｄｏｖｅｒ  Ｃｏｎｆｉｒｍ」）。【００３０】
グローバルセルＩＤ取得部１１は、複数の移動通信システムにおいてハンドオーバ先無線基地局配下の第２セルを一意に識別可能なグローバルセルＩＤを取得するように構成されている。【００３１】
なお、１つの移動通信システム内で、同一の「セルＩＤ」が用いられる可能性があり、例えば、グローバルセルＩＤは、「無線基地局ＩＤ」と「セルＩＤ（スクランブリングコード）」とによって構成されているものであってもよい。【００３２】
また、共有ネットワークを考慮すると、異なる移動通信システム内で、同一の「無線基地局ＩＤ」が用いられる可能性があるため、例えば、グローバルセルＩＤは、「ＰＬＭＮ（Ｐｕｂｌｉｃ  Ｌａｎｄ  Ｍｏｂｉｌｅ  Ｎｅｔｗｏｒｋ）-ＩＤ」と「無線基地局ＩＤ」と「セルＩＤ（スクランブリングコード）とによって構成されていてもよい。【００３３】
具体的には、グローバルセルＩＤ取得部１１は、ハンドオーバ元無線基地局Ｓ-ｅＮＢから受信したハンドオーバ指示（図４の「７.  Ｈａｎｄｏｖｅｒ  Ｃｏｍｍａｎｄ」）から、グローバルセルＩＤを取得するように構成されていてもよい。【００３４】
また、グローバルセルＩＤ取得部１１は、ハンドオーバ完了報告（図４の「１１.  Ｈａｎｄｏｖｅｒ  Ｃｏｎｆｉｒｍ」）を受信したハンドオーバ先無線基地局Ｔ-ｅＮＢによって通知されたグローバルセルＩＤを取得するように構成されていてもよい。【００３５】
また、グローバルセルＩＤ取得部１１は、第１セルにおけるパイロット信号の受信品質よりも第２セルにおけるパイロット信号の受信品質が高い場合に、第２セルにおける報知情報（ＢＣＣＨ：Ｂｒｏａｄｃａｓｔ  Ｃｏｎｔｒｏｌ  Ｃｈａｎｎｅｌ）を受信し、かかる報知情報に含まれるグローバルセルＩＤを取得するように構成されていてもよい。【００３６】
また、グローバルセルＩＤ取得部１１は、ハンドオーバ完了報告（図４の「１１.  Ｈａｎｄｏｖｅｒ  Ｃｏｎｆｉｒｍ」）を送信した後、第２セルにおける報知情報を受信し、かかる報知情報に含まれるグローバルセルＩＤを取得するように構成されていてもよい。【００３７】
グローバルセルＩＤ通知部１２は、ＳＵＰＬサーバ（位置情報管理サーバ）に対して、グローバルセルＩＤ取得部１１によって取得されたグローバルセルＩＤを通知するように構成されている。【００３８】
例えば、グローバルセルＩＤ通知部１２は、ＳＵＰＬサーバによって指定されたタイミングで、かかるグローバルセルＩＤを通知するように構成されていてもよいし、かかるグローバルセルＩＤを取得する度に、かかるグローバルセルＩＤを通知するように構成されていてもよい。【００３９】
図３に示すように、本実施形態に係る無線基地局ｅＮＢは、ハンドオーバ処理部２１と、グローバルセルＩＤ通知部２２とを具備している。【００４０】
ハンドオーバ元無線基地局Ｓ-ｅＮＢのハンドオーバ処理部２１は、移動局ＵＥから受信した測定結果（図４の「２.  Ｍｅａｓｕｒｅｍｅｎｔ  Ｒｅｐｏｒｔｓ」）に応じて、当該移動局ＵＥがハンドオーバを行うべきか否かについて判定するように構成されている。【００４１】
ハンドオーバ元無線基地局Ｓ-ｅＮＢのハンドオーバ処理部２１は、当該移動局ＵＥがハンドオーバを行うべきであると判定した場合、その旨を指示するハンドオーバ指示（図４の「７.  Ｈａｎｄｏｖｅｒ  Ｃｏｍｍａｎｄ」）を、当該移動局ＵＥに対して送信するように構成されている。【００４２】
ハンドオーバ先無線基地局Ｔ-ｅＮＢのハンドオーバ処理部２１は、当該移動局ＵＥにおいて第１セルから第２セルに対するハンドオーバが完了した旨を通知するハンドオーバ完了報告（図４の「１１.  Ｈａｎｄｏｖｅｒ  Ｃｏｎｆｉｒｍ」）を受信するように構成されている。【００４３】
グローバルセルＩＤ通知部２２は、当該移動局ＵＥに対して、ハンドオーバ先無線基地局配下の第２セルのグローバルセルＩＤを通知するように構成されている。【００４４】
具体的には、ハンドオーバ元無線基地局Ｓ-ｅＮＢのグローバルセルＩＤ通知部２２は、第２セルのグローバルセルＩＤを、上述のハンドオーバ指示（図４の「７.  Ｈａｎｄｏｖｅｒ  Ｃｏｍｍａｎｄ」）に含めて通知するように構成されていてもよい。【００４５】
また、ハンドオーバ先無線基地局Ｔ-ｅＮＢのグローバルセルＩＤ通知部２２は、ハンドオーバ完了報告（図４の「１１.  Ｈａｎｄｏｖｅｒ  Ｃｏｎｆｉｒｍ」）を受信した後に、移動局ＵＥに対して、第２セルのグローバルセルＩＤを通知するように構成されていてもよい。【００４６】
また、ハンドオーバ先無線基地局Ｔ-ｅＮＢのグローバルセルＩＤ通知部２２は、第２セルのグローバルセルＩＤを、第２セルにおける報知情報に含めて通知するように構成されていてもよい。【００４７】
本発明の第１の実施形態に係る移動通信システムによれば、移動局ＵＥが、ハンドオーバ指示（図４の「７.  Ｈａｎｄｏｖｅｒ  Ｃｏｍｍａｎｄ」）から、グローバルセルＩＤを取得して、ＳＵＰＬサーバに対して通知するように構成されているため、移動局ＵＥの位置情報として、Ｘ２ハンドオーバが行われた後に当該移動局ＵＥが接続されている無線基地局ｅＮＢ配下のセルのグローバルセルＩＤを取得することができる。【００４８】
本発明の第１の実施形態に係る移動通信システムによれば、移動局ＵＥが、ハンドオーバ完了報告（図４の「１１.  Ｈａｎｄｏｖｅｒ  Ｃｏｎｆｉｒｍ」）を送信した後に、ハンドオーバ先無線基地局Ｔ-ｅＮＢによって通知されたグローバルセルＩＤを取得して、ＳＵＰＬサーバに対して通知するように構成されているため、移動局ＵＥの位置情報として、Ｘ２ハンドオーバが行われた後に当該移動局ＵＥが接続されている無線基地局ｅＮＢ配下のセルのグローバルセルＩＤを取得することができる。【００４９】
本発明の第１の実施形態に係る移動通信システムによれば、移動局ＵＥが、第１セルにおけるパイロット信号の受信品質よりも第２セルにおけるパイロット信号の受信品質が高い場合に、第２セルにおける報知情報（ＢＣＣＨ：Ｂｒｏａｄｃａｓｔ  Ｃｏｎｔｒｏｌ  Ｃｈａｎｎｅｌ）からグローバルセルＩＤを取得して、ＳＵＰＬサーバに対して通知するように構成されているため、移動局ＵＥの位置情報として、Ｘ２ハンドオーバが行われた後に当該移動局ＵＥが接続されている無線基地局ｅＮＢ配下のセルのグローバルセルＩＤを取得することができる。【００５０】
本発明の第１の実施形態に係る移動通信システムによれば、移動局ＵＥが、ハンドオーバ完了報告（図４の「１１.  Ｈａｎｄｏｖｅｒ  Ｃｏｎｆｉｒｍ」）を送信した後、第２セルにおける報知情報を受信し、かかる報知情報に含まれるグローバルセルＩＤを取得して、ＳＵＰＬサーバに対して通知するように構成されているため、移動局ＵＥの位置情報として、Ｘ２ハンドオーバが行われた後に当該移動局ＵＥが接続されている無線基地局ｅＮＢ配下のセルのグローバルセルＩＤを取得することができる。【００５１】
（本発明の第２の実施形態に係る移動通信システム）
図５及び図６を参照して、本発明の第２の実施形態に係る移動通信システムについて説明する。以下、本実施形態に係る移動通信システムについて、上述の第１の実施形態に係る移動通信システムとの相違点に着目して説明する。【００５２】
図５に示すように、本実施形態では、ハンドオーバ元無線基地局（第１無線基地局）Ｓ-ｅＮＢ配下の第１セル（ハンドオーバ元セル）を介して「Ｌｏｃａｔｉｏｎ  Ｂａｓｅｄ  Ｓｅｒｖｉｃｅ」用の通信を行っている移動局ＵＥが、ハンドオーバ元無線基地局Ｓ-ｅＮＢ配下の第１セルからハンドオーバ先無線基地局（第２無線基地局）Ｔ-ｅＮＢ配下の第２セル（ハンドオーバ先セル）に対してハンドオーバ（Ｓ１ハンドオーバ、Ｉｎｔｅｒ-ｅＮＢハンドオーバ）を行う場合の例について説明する。【００５３】
移動局ＵＥのグローバルセルＩＤ取得部１１は、ハンドオーバ元無線基地局Ｓ-ｅＮＢから受信したハンドオーバ指示（図６の「１０.  Ｈａｎｄｏｖｅｒ  Ｃｏｍｍａｎｄ」）から、グローバルセルＩＤを取得するように構成されていてもよい。【００５４】
また、移動局ＵＥのグローバルセルＩＤ取得部１１は、ハンドオーバ完了報告（図６の「１２.  Ｈａｎｄｏｖｅｒ  Ｃｏｎｆｉｒｍ」）を受信したハンドオーバ先無線基地局Ｔ-ｅＮＢによって通知されたグローバルセルＩＤを取得するように構成されていてもよい。【００５５】
また、移動局ＵＥのグローバルセルＩＤ取得部１１は、ハンドオーバ完了報告（図６の「１２.  Ｈａｎｄｏｖｅｒ  Ｃｏｎｆｉｒｍ」）を送信した後、第２セルにおける報知情報を受信し、かかる報知情報に含まれるグローバルセルＩＤを取得するように構成されていてもよい。【００５６】
また、ハンドオーバ元無線基地局Ｓ-ｅＮＢのグローバルセルＩＤ通知部２２は、第２セルのグローバルセルＩＤを、上述のハンドオーバ指示（図６の「１０.  Ｈａｎｄｏｖｅｒ  Ｃｏｍｍａｎｄ」）に含めて通知するように構成されていてもよい。【００５７】
また、ハンドオーバ先無線基地局Ｔ-ｅＮＢのグローバルセルＩＤ通知部２２は、ハンドオーバ完了報告（図６の「１２.  Ｈａｎｄｏｖｅｒ  Ｃｏｎｆｉｒｍ」）を受信した後に、移動局ＵＥに対して、第２セルのグローバルセルＩＤを通知するように構成されていてもよい。【００５８】
本発明の第２の実施形態に係る移動通信システムによれば、移動局ＵＥが、ハンドオーバ完了報告（図６の「１２.  Ｈａｎｄｏｖｅｒ  Ｃｏｎｆｉｒｍ」）を送信した後に、ハンドオーバ先無線基地局Ｔ-ｅＮＢによって通知されたグローバルセルＩＤを取得して、ＳＵＰＬサーバに対して通知するように構成されているため、移動局ＵＥの位置情報として、Ｓ１ハンドオーバが行われた後に当該移動局ＵＥが接続されている無線基地局ｅＮＢ配下のセルのグローバルセルＩＤを取得することができる。【００５９】
本発明の第２の実施形態に係る移動通信システムによれば、移動局ＵＥが、ハンドオーバ完了報告（図４の「１２.  Ｈａｎｄｏｖｅｒ  Ｃｏｎｆｉｒｍ」）を送信した後、第２セルにおける報知情報を受信し、かかる報知情報に含まれるグローバルセルＩＤを取得して、ＳＵＰＬサーバに対して通知するように構成されているため、移動局ＵＥの位置情報として、Ｓ１ハンドオーバが行われた後に当該移動局ＵＥが接続されている無線基地局ｅＮＢ配下のセルのグローバルセルＩＤを取得することができる。【００６０】
（変更例１）
本発明の変更例１では、ＳＵＰＬサーバ（位置情報管理サーバ）が、移動局ＵＥの測位を開始する際に、当該移動局ＵＥに対して、当該移動局ＵＥが接続されている無線基地局ｅＮＢ配下のセルの位置情報を通知するように指示するように構成されている。【００６１】
移動局ＵＥのグローバルセルＩＤ取得部１１は、かかるＳＵＰＬサーバからの指示に応じて、当該セルのグローバルセルＩＤを取得するように構成されている。【００６２】
具体的には、移動局ＵＥのグローバルセルＩＤ取得部１１は、かかるＳＵＰＬサーバからの指示に応じて、当該セルにおける報知情報を受信し、かかる報知情報に含まれる当該セルのグローバルセルＩＤを取得するように構成されていてもよい。【００６３】
また、移動局ＵＥのグローバルセルＩＤ取得部１１は、かかるＳＵＰＬサーバからの指示に応じて、当該無線基地局ｅＮＢに対して、当該セルのグローバルセルＩＤを送信するように要求することによって、当該セルのグローバルセルを取得するように構成されていてもよい。【００６４】
また、移動局ＵＥのグローバルセルＩＤ取得部１１は、かかるＳＵＰＬサーバからの指示に応じて、移動局ＵＥ内のプロトコル間の通信、例えばＡＳレイヤとアプリケーションレイヤの通信によって、ＵＥ内に保持した当該グローバルセルを取得するように構成されていてもよい。【００６５】
例えば、図７に示すように、変更例１に係る移動局ＵＥは、ＳＵＰＬアプリケーションレイヤ機能部３１と、ＡＳレイヤ機能部３２とを具備している。【００６６】
ここで、移動局ＵＥが、Ｉｄｌｅ状態である場合、ＡＳ機能部３２は、最後に待ち受けを行っていたセルのグローバルセルＩＤを保持している。【００６７】
また、移動局ＵＥが、Ａｃｔｉｖｅ状態である場合、ＡＳ機能部３２は、サービングセルのグローバルセルＩＤを保持している。【００６８】
ここで、移動局ＵＥが、Ｉｄｌｅ状態からＡｃｔｉｖｅ状態に遷移する際に、サービングセルにおける報知情報に含まれるグローバルセルＩＤを取得して保持するように構成されている。【００６９】
また、移動局ＵＥが、ハンドオーバを行った場合には、ハンドオーバ先セルにおける報知情報に含まれるグローバルセルＩＤを取得して保持するように構成されている。【００７０】
以下、図８及び図９を参照して、本変更例１に係る移動通信システムにおいて、ＳＵＰＬサーバが、移動局ＵＥの位置情報を取得する動作について説明する。【００７１】
第１に、図８を参照して、本変更例１に係る移動通信システムにおいて、ＳＵＰＬサーバが、Ｉｄｌｅ状態の移動局ＵＥに対して位置情報を報告するように指示し、位置情報を取得する動作について説明する。【００７２】
図８に示すように、ステップＳ１００１において、ＳＵＰＬサーバとＥＰＳ（Ｅｖｏｌｖｅｄ  Ｐａｃｋｅｔ  Ｓｙｓｔｅｍ）との間で、位置情報取得手順を起動する。ここで、ＥＰＳには、交換局ＭＭＥやゲートウェイ装置Ｓ-ＧＷ/Ｐ-ＧＷ等が含まれる。【００７３】
ステップＳ１００２において、ＥＰＳが、移動局ＵＥに対して、ページング信号を送信する。【００７４】
移動局ＵＥは、ステップＳ１００３において、かかるページング信号に応じて、待ち受けを行っているセルにおける報知情報を受信し、かかる報知情報に含まれるグローバルセルＩＤを取得し、移動局ＵＥのＡＳレイヤ機能部３２に保持する。【００７５】
また、移動局ＵＥは、ステップ１００３において、待ち受けを行っているセルを管理する無線基地局との間で、ＲＲＣコネクションを確立し、ステップＳ１００４において、初期コンテキスト設定手順（Ｉｎｉｔｉａｌ  Ｃｏｎｔｅｘｔ  Ｓｅｔｕｐ  Ｐｒｏｃｅｄｕｒｅ）を含む「Ｉｄｌｅ  ｔｏ  Ａｃｔｉｖｅ手順」を行う。【００７６】
なお、ＳＵＰＬサーバは、「Ｄｅｆａｕｌｔ  ＰＤＮ（常時接続先外部ネットワーク）」に存在してもよいし、「Ｄｅｆａｕｌｔ  ＰＤＮ」以外のＰＤＮ（Ｐａｃｋｅｔ  Ｄａｔａ  Ｎｅｔｗｏｒｋ）に存在してもよい。【００７７】
ここで、ＳＵＰＬサーバが、「Ｄｅｆａｕｌｔ  ＰＤＮ」以外のＰＤＮに存在している場合には、移動局ＵＥは、ＳＵＰＬサーバが属しているＰＤＮに対してＳＵＰＬアプリケーション用Ｕプレーンベアラを確立する。【００７８】
ステップＳ１００５において、ＳＵＰＬサーバは、ＳＵＰＬアプリケーション用Ｕプレーンベアラを介して、移動局ＵＥに対して、移動局ＵＥの位置情報を通知するように要求する位置情報要求を送信する。【００７９】
位置情報要求は、通知すべき移動局ＵＥの位置情報の種類（移動局ＵＥが接続されている無線基地局ｅＮＢ配下のセルについてのグローバルセルＩＤ等）を指定し、ＳＵＰＬサーバの識別情報を指定する。【００８０】
移動局ＵＥのＳＵＰＬアプリケーションレイヤ機能部３１は、ステップＳ１００６において、移動局ＵＥのＡＳレイヤ機能部３２から、位置情報要求によって指定された移動局ＵＥの位置情報（上述のグローバルセルＩＤ）を取得し、ステップＳ１００７において、ＳＵＰＬサーバに対して、位置情報要求によって指定された移動局ＵＥの位置情報及びＳＵＰＬサーバの識別情報を含む位置情報応答を送信する。【００８１】
ここで、移動局ＵＥの位置情報は、移動局ＵＥの位置にかかる緯度経度情報であってもよい。【００８２】
第２に、図９を参照して、本変更例１に係る移動通信システムにおいて、ＳＵＰＬサーバが、Ａｃｔｉｖｅ状態の移動局ＵＥに対して位置情報を報告するように指示し、位置情報を取得する動作について説明する。【００８３】
図９に示すように、ステップＳ２０００において、移動局ＵＥは、無線基地局ｅＮＢ配下のセル（サービングセル）のグローバルセルＩＤを保持している。【００８４】
ここで、移動局ＵＥは、Ａｃｔｉｖｅ状態にある場合、サービングセルの報知情報が変更される度に、サービングセルからの報知情報変更表示を受信し、サービングセルの報知情報を受信し、かかる報知情報に含まれるグローバルセルＩＤを取得し移動局ＵＥのＡＳレイヤ機能部３２に保持する。【００８５】
ステップＳ２００１において、ＳＵＰＬサーバとＥＰＳとの間で、位置情報取得手順を起動する。【００８６】
ステップＳ２００２において、移動局ＵＥとＥＰＳとの間で、ＳＵＰＬアプリケーション用Ｕプレーンベアラ設定手順（Ｕ-ｐｌａｎｅ  Ｂｅａｒｅｒ  Ｓｅｔｕｐ  Ｐｒｏｃｅｄｕｒｅ）を起動する。【００８７】
ここで、ＳＵＰＬサーバとＵプレーンデータを送受信可能な状況にある場合には、ＳＵＰＬアプリケーション用Ｕプレーンベアラ設定手順は不要となる。【００８８】
ステップＳ２００３において、ＳＵＰＬサーバは、ＳＵＰＬアプリケーション用Ｕプレーンベアラを介して、移動局ＵＥに対して、移動局ＵＥの位置情報を通知するように要求する位置情報要求を送信する。【００８９】
位置情報要求は、通知すべき移動局ＵＥの位置情報の種類（移動局ＵＥが接続されている無線基地局ｅＮＢ配下のセルについてのグローバルセルＩＤ等）を指定し、ＳＵＰＬサーバの識別情報を指定する。【００９０】
移動局ＵＥのＳＵＰＬアプリケーションレイヤ機能部３１は、ステップＳ２００４において、移動局ＵＥのＡＳレイヤ機能部３２から、位置情報要求によって指定された移動局ＵＥの位置情報（上述のグローバルセルＩＤ）を取得し、ステップＳ２００５において、ＳＵＰＬサーバに対して、位置情報要求によって指定された移動局ＵＥの位置情報及びＳＵＰＬサーバの識別情報を含む位置情報応答を送信する。【００９１】
ここで、移動局ＵＥの位置情報は、移動局ＵＥの位置にかかる緯度経度情報であってもよい。【００９２】
（変更例２）
上述の実施形態の例では、第１無線基地局Ｓ-ｅＮＢと第２無線基地局Ｔ-ｅＮＢとが異なる場合の例、すなわち、Ｉｎｔｅｒ-ｅＮＢハンドオーバが行われる場合の例について説明したが、本発明は、かかる例に限定されるものではなく、第１無線基地局Ｓ-ｅＮＢと第２無線基地局Ｔ-ｅＮＢとが同じ場合の例、すなわち、Ｉｎｔｒａ-ｅＮＢハンドオーバが行われる場合の例についても適用可能である。【００９３】
なお、上述の移動局ＵＥや無線基地局ｅＮＢや交換機ＭＭＥやサービングゲートウェイ装置Ｓ-ＧＷの動作は、ハードウェアによって実施されてもよいし、プロセッサによって実行されるソフトウェアモジュールによって実施されてもよいし、両者の組み合わせによって実施されてもよい。【００９４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢや無線制御装置ＲＮＣ内に設けられていてもよい。また、かかる記憶媒体及びプロセッサは、ディスクリートコンポーネントとして移動局ＵＥや無線基地局ｅＮＢや交換機ＭＭＥやサービングゲートウェイ装置Ｓ-ＧＷ内に設けられていてもよい。【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【００９７】
以上説明したように、本発明によれば、移動局ＵＥの位置情報として、当該移動局ＵＥが現在接続されている無線基地局ｅＮＢ配下のセルのグローバルセルＩＤを取得することができる位置情報取得方法及び移動局を提供することができる。
【図１】
2009099215.tif 000003
【図２】
2009099215.tif 000004
【図３】
2009099215.tif 000005
【図４】
2009099215.tif 000006
【図５】
2009099215.tif 000007
【図６】
2009099215.tif 000008
【図７】
2009099215.tif 000009
【図８】
2009099215.tif 000010
【図９】
2009099215.tif 000011
【図１０】
2009099215.tif 000012
【図１１】
2009099215.tif 000013
【国際調査報告】
2009099215.tif 000014
2009099215.tif 000015
2009099215.tif 000016